(57)【要約】【課題】  住宅やオフィスに設置することができ、見るものに対し、ゆったりとした癒し感を与えることができる栽培・飼育セットを提供する。【解決手段】  栽培容器１１と、その中に設置される池を模した水槽１２と、その水槽の水を水槽１２の水面より高い位置１３に揚水するポンプＰと、揚水された水を元の水槽１２に戻す開放水路１５とを備えている栽培・飼育セット１０。水槽１２の周囲を含む栽培用気１１内には植栽１７が設けられ、水槽１２、開放水路１５およびそれらの周辺を覆うネット２２を備えている。【選択図】  図１
2005278461.tif 000002
【特許請求の範囲】
【請求項１】
樹木や草花を栽培する容器と、その容器内に独立して設けた閉鎖系の水路およびその水路内に水を循環させる手段とからなる流水システムとを備え、前記水路の少なくとも一部が開放水路である栽培・飼育セット。
【請求項２】
前記水路の途中に水槽が設けられ、前記水を循環させる手段が水槽から水槽の水面より高い位置に揚水するポンプを備えている請求項１記載の栽培・飼育セット。
【請求項３】
前記容器の周辺を覆うネットをさらに備えた請求項１記載の栽培・飼育セット。
【請求項４】
前記容器内にせせらぎ音などを発生する音響装置を備えている請求項１記載の栽培・飼育セット。
【発明の詳細な説明】
【技術分野】
【０００１】
本発明は栽培・飼育セットに関する。さらに詳しくは、住宅やオフィス内に簡易に設けることができ、住人を癒すことができる栽培・飼育セットに関する。
【背景技術】
【０００２】
【特許文献１】特開２００１−３０１３９６号公報
【特許文献２】特開２００３−１４３９８１号公報
【０００３】
特許文献１には、図５に示すように、発泡スチロールなどからなるコンテナ状の基台容器１０１と、その上部に配置した庭園部１０２とからなる箱庭および水槽に適する容器１０３が開示されている。このものは基台容器１０１の外壁にタイルないしコンクリートの外装を施し、庭園部１０２を、盆状受枠１０４と、その内部に配設する滝１０５、山１０６、噴水１０７、丘、水路、橋、池、中の島、泉水などで構成している。そして図６に示すように、基台容器１０１内の水を電動ポンプ１０８で滝１０５の上流などの必要個所に給水循環するようにしている。また、基台容器１０１の側面１０９をガラス製として、その内部で鑑賞魚類を飼育することも提案している。
【０００４】
他方、特許文献２には、池を模したコンテナ状容器の周囲に植栽用のコンテナ状容器を密に配置し、池用のコンテナ状容器に水を給水し、そこからオーバーフローした水を周囲の植栽用のコンテナ状容器に灌水するように構成したユニット型ビオトープ用灌水システムが開示されている。
【発明の開示】
【発明が解決しようとする課題】
【０００５】
前記従来の水槽に適する容器１０３や灌水システムは、比較的小型であるので、個人が家の中や庭に置くことができる。しかしながらいかにも模型ないし装置然としており、見るものにホッとする癒し感を与えるところがない。他方、本格的なビオトープは、公園内に生物が生息する環境をできるだけ忠実に再現するものであり、個人が所有する自宅の庭に設けることはできない。
【０００６】
本発明は個人の住宅内やベランダ、庭、オフィス内、ビルのホールや廊下などに設置することができ、樹木や草花の栽培の楽しみと同時に魚や昆虫、鳥などの小動物の飼育を楽しむことができ、さらに流水や小動物の眺めや音を通して栽培・飼育する者およびそれらを眺める者に対し、ゆったりとした癒し感を与えることができる栽培・飼育セットを提供することを技術課題としている。
【課題を解決するための手段】
【０００７】
本発明の栽培・飼育セットは、樹木や草花を栽培する容器と、その容器内に独立して設けた閉鎖系の水路およびその水路内に水を循環させる手段とからなる流水システムとを備え、前記水路の少なくとも一部が開放水路であることを特徴としている（請求項１）。
【０００８】
このような栽培・飼育セットにおいては、前記水路の途中に水槽が設けられ、前記水を循環させる手段が水槽から水槽の水面より高い位置に揚水するポンプを備えているものが好ましい（請求項２）。さらに前記容器の周辺を覆うネットをさらに備えているものが好ましい（請求項３）。また前記容器内にせせらぎ音などを発生する音響装置を備えているものは特に好ましい。
【発明の効果】
【０００９】
本発明の栽培・飼育セット（請求項１）は、容器内で樹木や草花を栽培することができ、同時に流水システムの開放水路で水の流れの眺めおよび音を楽しむことができる。すなわち栽培に関わる者にとっては毎日の水やりなどを通じて草花などの成長を楽しむことができ、栽培に関わらない者にとっても、グリーンを眺めて、あるいは水の流れる音を聴いて和む小空間を与えることができる。さらに止まっている水は澱んで腐敗しやすいが、開放水路を流れる水は自然に浄化されるので、清掃の手間が省ける。また、水の流れが激しい場合は、小さい水滴が飛び散るときにマイナスイオンを発生し、一層、癒し効果が奏される。
【００１０】
このような栽培・飼育セットにおいて、前記水路の途中に水槽が設けられ、前記水を循環させる手段が水槽から水槽の水面より高い位置に揚水するポンプを備えている場合（請求項２）は、ポンプを作動させると水槽内の水を所定の高い位置に揚水する。そして揚水された水は、開放水路を通り、元の水槽まで戻る。したがってその光景を見るものに対し、穏やかな水の流れと水が流れる音による癒し効果を与える。また水槽内でメダカやフナ、金魚などの淡水魚を飼うことができる。汚れた水は、開放水路を通る間にある程度浄化される。なお、ポンプを用いた環流の途中でゴミを取り除いたり、浄化するようにしてもよい。なお、上記の水槽は栽培容器の土壌内に埋め込み、ポンプは見えない部位に設置しておくのが好ましく、それにより、一層自然な景観を楽しむことができる。
【００１１】
このような栽培・飼育セットにおいて、前記容器の周辺を覆うネットをさらに備えている栽培・飼育セット（請求項３）では、ネット内に昆虫や鳥などを囲い込むことができる。それにより昆虫や鳥に餌などを与えて育てる楽しみが得られると共に、それらの鳴き声および忙しく動く姿なども合わせて楽しむことができる。また前記容器内にせせらぎ音などを発生する音響装置を備えている栽培・飼育セットは、。前記容器内の景観を一層、臨場感あふれるものとすることができる。
【発明を実施するための最良の形態】
【００１２】
つぎに図面を参照しながら本発明の栽培・飼育セットの実施の形態を説明する。図１は本発明の栽培・飼育セットの一実施形態を示す平面図、図２は図１のII-II線断面図、図３は図１の栽培・飼育セットの側面図、図４は本発明の栽培・飼育セットの他の実施形態を示す要部断面図である。
【００１３】
図１に示す栽培・飼育セット１０は、栽培容器１１と、その栽培容器内に設けた池を模した水槽１２と、その水槽の水を揚水するポンプＰと、ポンプで揚水された水を高い位置１３に送るための管路１４と、高い位置から次第に低くなるように傾斜した開放水路１５と、その開放水路の下端から元の水槽１２に戻すための管路１６とを備えている。このような栽培・飼育セット１０は、建物の部屋内、ベランダ、オフィスの床、ビルなどの玄関ホール、廊下、エレベータホール、窓に面した庭などに設ける。日光が当たる場所に配置するのが好ましいが、そうでない場合は太陽燈、ランプなどの照明器具で照らすようにする。
【００１４】
この実施形態ではさらに水槽１２の周囲を含む栽培容器１１内に、樹木や草花などの植栽１７が設けられている。植栽１７は栽培容器１１の開放水路１５を除く部位に培養土１８を盛り、その培養土に植える。その際、培養土を開放水路１５の側壁の上端付近まで盛ることによって、開放水路の側壁は埋設され、小川のように看取することが可能になる。なお、開放水路１５に水草１９や水苔など、水生植物を配置してもよい。また開放水路１５に橋を掛け渡せば一層小川のように外見することができる。符号２０は水の流れに変化を与えるための置き石である。培養土１８に変えて、浅い水槽を設け、水耕栽培の方法を採用することもできる。
【００１５】
またこの実施形態では、栽培容器１１の４隅に、水槽１２、開放水路１５および植栽１７の全体を囲むように、４本の支柱２１が立てられ、それらの支柱２１でネット２２を支持している（図２参照）。なおいずれかの支柱２１の上端に植物栽培用のランプを取り付けてもよく、小鳥の巣箱を設置することもできる。
【００１６】
前記栽培容器１１は、防水性あるいは難透水性の材料、たとえば合成樹脂や木材の内面に防水処理を施したものなどから形成することができる。合成樹脂の場合はガラスファイバーなどの補強繊維で強化したＦＲＰで一体に成型することができる。また、木材の場合は板材を箱状に組み立てて、内面に防水シート（図２の符号１１ａ参照）を敷き詰めてもよい。さらに合成樹脂や木材のほか、金属、陶器、セメントなど、他の材料で構成することもできる。図２および図３に示すように、栽培容器１１の底面１１ｂには勾配を設け、最も低い部位に排水口２３を設けている。それにより培養土１８の水分を調節することができ、植栽１７の根腐れを防止することができる。これらの点は従来公知のプランタなどと同様である。図２の符号１１ｃは取手を兼ねた枠である
【００１７】
前記水槽１２は、防水性あるいは難透水性の材料、たとえばセメント、陶器、発泡コンクリート、繊維強化合成樹脂、金属、木材などから形成することができる。なお、培養土１８を掘り、柔軟性および難透水性の合成樹脂シートを敷き詰めるなどによっても構成することもできる。水槽１２の一角には、揚水ポンプＰを設けている。水槽１２の内面は自然の池のごとく木柵２４や石積み、あるいは貼り付けた砂などで水槽１２の材料を隠しておくのが好ましい。水槽１２の一部には、鳥の水浴び場となる浅い部分を設けてもよい。水槽１２の池や開放水路１５では、たとえばメダカ、フナ、金魚などの淡水魚を飼うことができる。また容器の内部、たとえば底面側に小川をながれる水のせせらぎの音や林などで生息する野鳥の鳴き声が録音されているＣＤやＭＤなどのプレヤーを設けると、この実施形態で提供される自然が一層、臨場感のあるものとなり、癒し効果はさらに増すことになる。
【００１８】
前記ポンプＰは電気駆動のものが用いられ、容量４〜１００ワットwat、揚水量  ３．５〜１００Ｌ／min程度、揚水ヘッド０．３〜２ｍ程度のものが用いられる。ただしこれに限定されるものではない。水中型のポンプＰは、外部から見えないように、隠し壁２５ないし蓋などで隠しておくのが好ましい。なお、水中型のポンプのほか、別個に水槽１２とパイプやチューブで連結したポンプを用いることもできる。さらに開放水路１５に勾配を設けず、ほぼ水平に配置すると共に、開放水路１５内の水に流れを生ずるポンプ、スクリュープロペラあるいはモータ駆動の水車を配置することもできる。モータ駆動の水車を設けると、流れによって回転されているように見えるので、風情がある。
【００１９】
前記高い位置１３は、川の湧き水部や築山の頂上部に見えるように構成するのが好ましい。それにより、自然な景観が得られ、川を模した開放水路１５とのつながりも自然である。築山は培養土などの土を盛り上げて作ることができる。ただし合成樹脂、金属、木材などで築山を模した構造物を利用することもできる。築山やそのほかの平坦な地面には、通常のプランタなどで栽培する草花、あるいは盆栽などの植栽１７を植える。鳥の餌になる実をつける木のほか、見た目の癒し効果が大きい花類、コケ類も好ましい。
【００２０】
前記往き側の管路１４は、通常のポリ塩化ビニルなどの水道管などに用いられる合成樹脂製のパイプや柔軟性のあるチューブが用いられる。管路１４は直管とエルボとを連結し、図１に示すように水槽１２を回避するようにしてもよく、水槽１２の下を通してもよい。戻り側の管路１６は、竹等の自然の材料が用いられ、その一部は開放水路１５内に設け、その一部に開口部１６ａを形成している。それにより開放水路１５から戻ってくる水を滞留させるにスムーズに水槽１２内に戻すことができる。戻り側の管路１６の下端は水槽１２内に入れてもよいが、図２に示すように水面から上に離して設置してもよい。また、往き側の管路１４の先端を開放水路１５の水面から上に離して設置することもできる。それらの場合は水槽１２に落ちる水音で癒し効果が高まる。なお、戻り側の管路１６を鹿脅しの形態にしたり、あるいは別個に鹿脅しを設けて断続的な音を楽しむようにしてもよい。
【００２１】
前記開放水路１５は、水槽１２と同様の材料、たとえばセメント、木材、陶器、発泡コンクリート、繊維強化合成樹脂、金属などから断面略Ｕ字状の溝の形態で構成することができる。また、植栽部の地面を掘り、柔軟性および難透水性の合成樹脂シートを敷き詰めるなどによっても構成することができる。図１では開放水路１５をＬ字状にしているが、Ｕ字状、Ｓ字状など、種々の形態にすることができる。また開放水路１５の中に砂、砂利、石、水草などを配置することにより、蛇行させたり、溜まりや早瀬を造るなど、水の流れを自由に形造ることができ、見るものに癒され感を与えることも可能である。また、流水が太陽光や空気に晒されることにより、浄化作用を受ける。
【００２２】
開放水路１５を構成する材料の表面に、酸化チタンなどの紫外線で活性化されて汚れを分解する触媒を設けておくこともできる。その場合は開放水路１５を流れているうちに水が浄化される。このような紫外線活性の触媒を設ける場合は、その近辺に紫外線ランプを立てておくのが好ましい。それにより夜間でも流水の浄化が行われる。
【００２３】
また、図４に示すように、前記開放水路１５の一部の下方に空洞２６を設けてもよい。このような空洞２６は、木材で囲まれた空間、金属缶あるいは陶器製の壺などで構成することができる。空洞２４は開放水路１５を流れる水の音を響かせる反響管として作用する。それにより開放水路１５を流れる水のせせらぎ音が大きくなり、聴くものに一層癒し効果を与えることができる。
【００２４】
前記支柱２１は鉄管、コンクリート、木材、合成樹脂パイプなどで構成することができる。前記ネット２２は合成繊維製のロープを編んだもの、鉄線をネット状にした金網、細い糸をネット状に編んだものなど、昆虫や鳥がぶつかっても破れにくいものが用いられる。細い糸から構成すると、目立たないので好ましいが、暗いときに鳥類がひっかかる可能性があるので、むしろ目立つネットを用いるほうがよい場合もある。カブトムシのような甲虫類を飼育する場合は、破れないように金網を用いる。
【００２５】
この実施形態では、ネット２２は左右の側面、前面、背面および天面を覆う形態としている。なお、栽培容器１１を大きくする場合は、建物の掃き出し窓に沿って配置することも可能である。その場合は掃き出し窓の側のネットを省略でき、それにより掃き出し窓１７を通した景観を損なわず、また人が掃き出し窓１７から出入りしやすい。ネット２２は支柱２１の上端および側面に引っ掛けて取りつけている。なお、メンテナンスのために支柱２１に対して着脱可能に取りつけるのが好ましい。ネット２２の目の大きさは、鳥を飼育する場合は鳥が通らない程度の大きさ、たとえば１．５〜３ｃｍ程度とし、昆虫を飼育する場合は昆虫が通らない程度の大きさ、たとえば２〜５ｍｍ程度とする。
【００２６】
上記のようなネット２２を設けておく場合は、スズメ、ジュウシマツ、ブンチョウ、ベニスズメなどのペット用の小鳥あるいは野鳥類や、鈴虫、キリギリス、ホタルなどの昆虫類を飼育することができ、それらの鳴き声や姿、動きを楽しむことができる。
【００２７】
前記実施形態では栽培・飼育セット１０としてネット２１を被せたものを用いているが、鳥類や昆虫類を飼育しない場合はネット２１は設けない。また、大きい魚を飼育する場合は水槽１２を大きくする。
【図面の簡単な説明】
【００２８】
【図１】本発明の栽培・飼育セットの一実施形態を示す平面図である。
【図２】図１のII-II線断面図である。
【図３】図１の栽培・飼育セットの側面図図１のIII-III線拡大断面図である。
【図４】発明の栽培・飼育セットの他の実施形態を示す要部断面図である。
【図５】従来の箱庭および水槽に適する容器の一例を示す斜視図である。
【図６】図５の容器の側断面図である。
【符号の説明】
【００２９】
１０  栽培・飼育セット
１１  栽培容器
１２  水槽
Ｐ  ポンプ
１３  高い位置
１４  管路（往き側）
１５  開放水路
１６  管路（戻り側）
１７  植栽
１８  培養土
１９  水草
２０  置き石
２１  支柱
２２  ネット
２３  排水口
２４  木柵
２５  隠し壁
２６  空洞
【図１】
2005278461.tif 000003
【図２】
2005278461.tif 000004
【図３】
2005278461.tif 000005
【図４】
2005278461.tif 000006
【図５】
2005278461.tif 000007
【図６】
2005278461.tif 000008